【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
画像中のオブジェクトの領域を検出する検出手段と、
複数の表示抽象化レベルのサンプルを提示する提示手段と、
前記複数の表示抽象化レベルのサンプルから１つの表示抽象化レベルを設定する設定手段と、
前記設定手段により設定された前記１つの表示抽象化レベルに基づいて、前記オブジェクトの前記領域の抽象化画像を生成する生成手段と、
前記生成手段により生成された抽象化画像を前記画像に合成する合成手段と、
を備えることを特徴とする画像情報生成装置。
【請求項２】
前記オブジェクトの前記領域に対応して、前記複数の表示抽象化レベルから前記１つの表示抽象化レベルを選択入力させる入力手段をさらに備え、
前記設定手段は、前記入力手段から選択入力された表示抽象化レベルを、前記オブジェクトの前記領域について設定することを特徴とする請求項１に記載の画像情報生成装置。
【請求項３】
画像中のオブジェクトの領域を検出する検出手段と、
前記検出手段により検出された前記オブジェクトの領域に対して、表示抽象化レベルを設定する設定手段と、
前記設定手段により設定された前記表示抽象化レベルに基づいて、前記オブジェクトの前記領域の抽象化画像を生成する生成手段と、
前記生成手段により生成された抽象化画像を前記画像に合成する合成手段と、
前記設定手段により設定された前記表示抽象化レベルを、他の表示抽象化レベルに変更する変更手段と、を備え、
前記変更手段が前記表示抽象化レベルを前記他の表示抽象化レベルに変更した場合、前記生成手段は、前記他の表示抽象化レベルに基づいて、他の抽象化画像を生成し、前記合成手段は、前記他の抽象化画像を前記画像に合成することを特徴とする画像情報生成装置。
【請求項４】
前記設定手段は、前記オブジェクトの前記領域に対応して、時間帯に応じて前記表示抽象化レベルを設定可能であり、
前記変更手段は、前記時間帯の変化に応じて、前記表示抽象化レベルを変更することを特徴とする請求項３に記載の画像情報生成装置。  
【請求項５】
前記設定手段は、前記画像内における前記オブジェクトの前記領域の位置に応じて、前記表示抽象化レベルを設定可能であり、
前記変更手段は、前記画像内における前記オブジェクトの前記領域の位置に応じて、前記表示抽象化レベルを変更することを特徴とする請求項３または４に記載の画像情報生成装置。  
【請求項６】
前記画像を処理する際の処理重要度を設定する第二の設定手段をさらに備え、
前記変更手段は、前記第二の設定手段により設定された前記処理重要度に基づいて、前記表示抽象化レベルを変更することを特徴とする請求項３から５のいずれか１項に記載の画像情報生成装置。
【請求項７】
前記変更手段は、前記表示抽象化レベルを、時間の経過に応じて変更することを特徴とする請求項６に記載の画像情報生成装置。
【請求項８】
前記表示抽象化レベルを変更するトリガとなるイベントを設定する第三の設定手段をさらに備え、
前記変更手段は、前記第三の設定手段により設定された前記イベントが検出されたことに応じて、前記抽象化レベルを変更することを特徴とする請求項３から７のいずれか１項に記載の画像情報生成装置。
【請求項９】
前記イベントは、前記オブジェクトの所定部位の動き、姿勢、移動軌跡、及び外部イベントの少なくとも１つを含むことを特徴とする請求項８に記載の画像情報生成装置。
【請求項１０】
前記第三の設定手段は、前記イベントに対応する優先度を設定することができ、
複数の前記イベントが同時に検出された場合、前記変更手段は、前記イベントに対応して設定された前記優先度に応じて、前記表示抽象化レベルを変更することを特徴とする請求項８または９に記載の画像情報生成装置。
【請求項１１】
画像中のオブジェクトの領域を検出する検出手段と、
前記検出手段により検出された前記オブジェクトの領域に対して、表示抽象化レベルを設定する設定手段と、
前記設定手段により設定された前記表示抽象化レベルに基づいて、前記オブジェクトの前記領域の抽象化画像を生成する生成手段と、
前記生成手段により生成された抽象化画像を前記画像に合成する合成手段と、
を備え、
前記設定手段が、時間帯と、前記画像内における前記オブジェクトの前記領域の位置と、イベントの種類の少なくとも一つに対して、前記表示抽象化レベルを設定可能であることを特徴とする画像情報生成装置。
【請求項１２】
前記生成手段は、前記オブジェクトの属性情報を生成し、前記合成手段は、前記抽象化画像と共に前記属性情報を前記画像に合成することを特徴とする請求項１から１１のいずれか１項に記載の画像情報生成装置。
【請求項１３】
画像を撮像する撮像手段と、
請求項１から１２のいずれか１項に記載の画像情報生成装置と、
前記画像情報生成装置により生成された画像情報を表示装置に表示出力させる表示制御手段と、
を備えることを特徴とする画像処理システム。
【請求項１４】
画像中のオブジェクトの領域を検出するステップと、
検出された前記オブジェクトの領域に対して、複数の表示抽象化レベルを提示するステップと、
前記複数の表示抽象化レベルから１つの表示抽象化レベルを設定するステップと、
設定された前記１つの表示抽象化レベルに基づいて、前記オブジェクトの前記領域に対応する抽象化画像を生成するステップと、
生成された前記抽象化画像を前記画像に合成するステップと、
を有することを特徴とする画像情報生成方法。
【請求項１５】
画像中のオブジェクトの領域を検出するステップと、
検出された前記オブジェクトの領域に対して、表示抽象化レベルを設定するステップと、
設定された前記表示抽象化レベルに基づいて、前記オブジェクトの前記領域に対応する抽象化画像を生成するステップと、
生成された前記抽象化画像を前記画像に合成するステップと、
設定された前記表示抽象化レベルを、他の表示抽象化レベルに変更するステップと、
前記表示抽象化レベルが前記他の表示抽象化レベルに変更された場合、前記他の表示抽象化レベルに基づいて、他の抽象化画像を生成するステップと、
前記他の抽象化画像を前記画像に合成するステップと、
を有することを特徴とする画像情報生成方法。
【請求項１６】
画像中のオブジェクトの領域を検出する検出ステップと、
検出された前記オブジェクトの領域に対して、時間帯と前記画像内における前記オブジェクトの前記領域の位置とイベントの種類の少なくとも一つに対して、前記表示抽象化レベルを設定するステップと、
設定された前記表示抽象化レベルに基づいて、前記オブジェクトの前記領域に対応する抽象化画像を生成するステップと、
生成された抽象化画像を前記画像に合成するステップと、
を有することを特徴とする画像情報生成方法。
【請求項１７】
コンピュータを請求項１から１２のいずれか１項に記載の画像情報生成装置の各手段として機能させるためのプログラム。
【手続補正２】
【補正対象書類名】明細書
【補正対象項目名】０００５
【補正方法】変更
【補正の内容】
【０００５】
上記課題を解決するために、本願発明に係る画像情報生成装置の一態様は、画像中のオブジェクトの領域を検出する検出手段と、複数の表示抽象化レベルのサンプルを提示する提示手段と、前記複数の表示抽象化レベルのサンプルから１つの表示抽象化レベルを設定する設定手段と、前記設定手段により設定された前記１つの表示抽象化レベルに基づいて、前記オブジェクトの前記領域に対応する抽象化画像を生成する生成手段と、前記生成手段により生成された抽象化画像を前記画像に合成する合成手段と、を備える。
【手続補正３】
【補正対象書類名】明細書
【補正対象項目名】０００６
【補正方法】変更
【補正の内容】
【０００６】
本発明に係る画像情報生成装置の他の態様は、画像中のオブジェクトの領域を検出する検出手段と、前記検出手段により検出された前記オブジェクトの領域に対して、表示抽象化レベルを設定する設定手段と、前記設定手段により設定された前記表示抽象化レベルに基づいて、前記オブジェクトの前記領域に対応する抽象化画像を生成する生成手段と、前記生成手段により生成された抽象化画像を前記画像に合成する合成手段と、前記設定手段により設定された前記表示抽象化レベルを、他の表示抽象化レベルに変更する変更手段と、を備え、前記変更手段が前記表示抽象化レベルを前記他の表示抽象化レベルに変更した場合、前記生成手段は、前記他の表示抽象化レベルに基づいて、他の抽象化画像を生成し、前記合成手段は、前記他の抽象化画像を前記画像に合成する。
本発明に係る画像情報生成装置の他の態様は、画像中のオブジェクトの領域を検出する検出手段と、前記検出手段により検出された前記オブジェクトの領域に対して、表示抽象化レベルを設定する設定手段と、前記設定手段により設定された前記表示抽象化レベルに基づいて、前記オブジェクトの前記領域に対応する抽象化画像を生成する生成手段と、前記生成手段により生成された抽象化画像を前記画像に合成する合成手段と、を備え、前記設定手段が、時間帯と、前記画像内における前記オブジェクトの前記領域の位置と、イベントの種類の少なくとも一つに対して、前記表示抽象化レベルを設定可能とする。